(57)【特許請求の範囲】
【請求項１】
滑らかな又は旋条を付けられた銃腔を有するセミオートマチックスポーツライフル銃であって、
ケーシングと、
前記ケーシングに連結され、実包チャンバーを有する銃身と、
前進位置と停止位置すなわち実包チャンバーの開閉位置の間で前記ケーシング内を動くことができる遊底ユニットと、
発射動作を制御するためのトリガー装置と
を備え、
実包チャンバー内に手動で挿入され得る第一の実包及び前記第一の実包の発射後に自動的に供給され得る第二の実包が装填される、前記銃において、
前記ケーシングは、前記ケーシングの側部に前記実包を装填するための側部開口及び発射された各実包の薬莢を下から排出するための下部開口を備え、
側部にある回転する供給手段は、前記側部開口の高さに取り付けられ、
前記供給手段は、前記第一の実包を発射する間に前記第二の実包を受け取って保持するとともに、前記第一の実包を発射し、前記下部開口を通って空の薬莢を排出し、次に前記遊底ユニットを後方に動かした後に、前記遊底ユニットに補助されて自動的に銃の中に前記第二の実包を装填することを特徴とするセミオートマチックライフル銃。
【請求項２】
前記供給手段は、垂直軸周りに回転するピンに取り付けられ、前記回転するピンから後方に向けられているスプーンを備え、
前記スプーンは、後方に向けられている基部を用いて前記実包を受け得る形状を有するとともに、前記第二の実包を受けて保持する前記ケーシングの外側のスタート位置と、前記側部開口を通って前記実包チャンバーの方に前記ケーシング内で斜めに向けられている内側の供給位置との間を動くことができ、
前記実包の基部は、前記第二の実包を前記銃身の前記実包チャンバー内に装填するように前進したときに前記遊底ユニットにより捕らえられるような位置にある請求項１記載のセミオートマチックライフル銃。
【請求項３】
前記スプーンは、外側のスタート位置から内側の供給位置まで前記スプーンを回転させるように予圧されたバネにより付勢され、前記バネの動作に対して前記スタート位置に前記スプーンを規制して保持するための停止手段と、前記供給手段に前記第二の実包がある場合にだけ前記供給位置の方に前記バネを動かすことを可能にするための手段と、前記スプーンが前記供給位置に動くように、前記遊底ユニットと相互作用し、前記スタート位置に前記スプーンを保持する前記停止手段を切り離すために停止する解放手段とが備えられる請求項２記載のセミオートマチックライフル銃。
【請求項４】
前記停止手段及び前記解放手段は、スライド部に組み込まれ、前記遊底ユニットと平行に前記ケーシングの側部に配置され、後方から前記スプーンの方にの前方に向けられる請求項３記載のセミオートマチックライフル銃。
【請求項５】
前記第二の実包がある場合にだけ前記スプーンの動作を可能にする手段は、通常、前記スタート位置に前記スプーンを保持するために前記スプーンのくぼみに係合し、前記供給手段に前記実包が装填されたときに前記くぼみから外れる係合レバーである請求項３記載のセミオートマチックライフル銃。
【請求項６】
前記スプーンは、カム形状のウイング部を備え、前記ウイング部は、前記供給位置から前記スタート位置まで前記スプーンを戻すために前進する前記遊底ユニットと相互作用し、前記停止手段に自動的に係合される請求項３から請求項５までのいずれかに記載のセミオートマチックライフル銃。
【請求項７】
前記下部開口から排出されるように、停止している前記遊底ユニットにより引っ張られる前記実包の薬莢を途中で捕らえる排出肩部が、前記ケーシングに備えられる請求項１から請求項６までのいずれかに記載のセミオートマチックライフル銃。
【発明の詳細な説明】
【０００１】
【発明の属する技術分野】
本発明は、滑らかな及び／又は旋条を付けられた銃腔を有するセミオートマチックスポーツライフル銃及びショットガンに関し、特にこのようなライフル銃において発射される実包の供給機構及び発射された実包の薬莢の排出機構に関するものである。
【０００２】
【従来の技術】
セミオートマチックライフル銃は、旋回し、開閉する銃身を有し、通常、一方の側部からの実包供給手段及び下からの発射された実包の薬莢の排出手段を備え、本出願人の同時期の特許出願に開示されている。安全及び使用に関する利点として、このようなセミオートマチックライフル銃は、下から排出するため、右利き及び左利きの両方に適するという重要な特徴を有し、銃の左右からのライジングに影響しない。
【０００３】
【発明が解決しようとする課題】
本発明の目的は、第一の実包を発射して空の薬莢を排出した後に自動的に第二の実包を装填することができるライフル銃を提供することである。
【０００４】
【課題を解決するための手段】
本発明は、前記セミオートマチックライフル銃に適用され、特に発射される実包を横から供給する機構及び発射された実包の薬莢を下から排出する手段を提供する。
【０００５】
すなわち、本発明のセミオートマチックライフル銃は、滑らかな又は旋条を付けられた銃腔を有するセミオートマチックスポーツライフル銃であって、ケーシング（２０）と、前記ケーシングに連結され、実包チャンバー（２１’）を有する銃身（２１）と、前進位置と停止位置すなわち実包チャンバーの開閉位置の間で前記ケーシング内を動くことができる遊底ユニット（２２）と、発射動作を制御するためのトリガー装置とを備え、実包チャンバー（２１’）内に手動で挿入され得る第一の実包（２５）及び前記第一の実包の発射後に自動的に供給され得る第二の実包（２６）を装填される、前記銃において、前記ケーシング（２０）は、前記ケーシングの側部に前記実包を装填するための側部開口（２７）及び発射された各実包の薬莢（２５’）を下から排出するための下部開口（２８）を備え、側部にある回転する供給手段（２９）は、前記側部開口（２７）の高さに取り付けられ、前記供給手段は、前記第一の実包（２５）を発射する間に前記第二の実包（２６）を受け取って保持するとともに、前記第一の実包（２５）を発射し、前記下部開口を通って空の薬莢を排出し、次に前記遊底ユニットを後方に動かした後に、前記遊底ユニット（２２）に補助されて自動的に銃の中に前記第二の実包を装填するものである。
【０００６】
また、前記供給手段（２９）は、垂直軸周りに回転するピン（３１）に取り付けられ、前記回転するピンから後方に向けられているスプーン（３０）を備え、前記スプーンは、後方に向けられている基部を用いて前記実包を受け得る形状を有するとともに、前記第二の実包を受けて保持する前記ケーシングの外側のスタート位置と、前記側部開口（２７）を通って前記実包チャンバー（２１’）の方に前記ケーシング内で斜めに向けられている内側の供給位置との間を動くことができ、前記実包の基部は、前記第二の実包を前記銃身の前記実包チャンバー（２１’）内に装填するように前進したときに前記遊底ユニット（２２）により捕らえられるような位置にあることが好ましい。
【０００７】
また、前記スプーンは、外側のスタート位置から内側の供給位置まで前記スプーンを回転させるように予圧されたバネ（３２）により付勢され、前記バネ（３２）の動作に対して前記スタート位置に前記スプーンを規制して保持するための停止手段（３３、３５）と、前記供給手段に前記第二の実包がある場合にだけ前記供給位置の方に前記バネを動かすことを可能にするための手段（３９）と、前記スプーンが前記供給位置に動くように、前記遊底ユニットと相互作用し、前記スタート位置に前記スプーンを保持する前記停止手段を切り離すために停止する解放手段（３７）とが備えられることが好ましい。
【０００８】
また、前記停止手段（３３、３５）及び前記解放手段（３７）は、スライド部に組み込まれ、前記遊底ユニットと平行に前記ケーシングの側部に配置され、後方から前記スプーンの方にの前方に向けられることが好ましい。
【０００９】
また、前記第二の実包がある場合にだけ前記スプーンの動作を可能にする手段は、通常、前記スタート位置に前記スプーンを保持するために前記スプーンのくぼみ（３８）に係合し、前記供給手段に前記実包が装填されたときに前記くぼみから外れる係合レバー（３９）であることが好ましい。
【００１０】
また、前記スプーンは、カム形状のウイング部（４０）を備え、前記ウイング部は、前記供給位置から前記スタート位置まで前記スプーンを戻すために前進する前記遊底ユニットと相互作用し、前記停止手段（３３）に自動的に係合されることが好ましい。
【００１１】
また、前記下部開口から排出されるように、停止している前記遊底ユニットにより引っ張られる前記実包の薬莢を途中で捕らえる排出肩部（４１）が、前記ケーシング（２０）に備えられることが好ましい。
【００１２】
【発明の実施の形態】
以下、添付図面を参照しつつ本発明の実施の形態について説明する。
【００１３】
ライフル銃は、公知のように、ケーシング（又はピボット）２０、実包チャンバー２１’を有する銃身２１、遊底ユニット２２、及び引き金２３だけが示されているトリガー装置を備える。
【００１４】
銃身２１は、ピン２４を用いてケーシング２０に連結され、ピン２４は、閉鎖位置と旋回及び開放位置との間の銃身の回転軸を形成する。
【００１５】
遊底ユニット２２は、ケーシング２０の長手方向にガイドされ、閉鎖位置と開放位置との間、すなわち、銃身の方に前進した位置と停止位置との間で動くことができる。前者の位置は、チャンバー２１’で発射される実包の挿入に対応し、後者の位置は、発射された実包の薬莢のチャンバーからの除去に対応する。除去のため、遊底ユニット２２は、除去手段２２’を備え、遊底ユニットが停止したとき、実包の薬莢を後方に引き込むことができるようにこの薬莢の底部を引っかけるようにされている。
【００１６】
ケーシングのトリガー装置は、特別な説明を必要としない。
【００１７】
ライフル銃は、連続して二つの実包を供給され、発射することができ、実包は、図において２５及び２６で示され、以下、第一の実包を２５、第二の実包を２６で参照する。（最初に）発射された実包の薬莢は、２５’で示される。
【００１８】
本発明に従えば、発射される実包２５、２６を供給するための側部開口２７及び発射された実包の薬莢２５’の排出するための中心の下部開口２８が、ライフル銃のケーシング２０に備えられる。
【００１９】
第一の実包２５は、遊底ユニットが停止したとき、側部開口２７を介して銃の中に手動で直接挿入され、遊底ユニットが前進したとき、遊底ユニットにより実包チャンバー２１’内に底部から挿入される。
【００２０】
供給手段２９が、ケーシング２０の側部で側部開口２７の高さに備えられ、第一の実包２５の発射及びその薬莢２５’の除去の後、第二の実包２６を受けて自動的にそれを供給するようにされている。
【００２１】
供給手段２９は、回転するスプーンの形態を有し、その後部は、垂直軸の周りを回転するピン３１に取り付けられている。このように、スプーン３０は、後部から前方に向きを変え、ケーシングの外側のスタート位置から平行にその内部の供給位置まで側部から側部に回転することができ、側部開口２７を通って実包チャンバーの方にケーシング内で斜めに向きを変える。
【００２２】
スプーン３０は、後部の方に基部を有する第二の実包２６を受けて保持するように構成されている。
【００２３】
バネ３２は、回転軸３１に取り付けられ、スプーンとケーシングとの間で予圧され、スタート位置から供給位置までスプーンを回転させる（図４）。
【００２４】
一方、スプーン３０は、その後部部分において正確にストップスライド部３３と相互作用し、ストップスライド部３３は、バネ３２の動きに対してその停止位置にスプーンをロックし、これ（スプーン）が供給位置に動かなければならないとき、スプーンを開放する。ストップスライド部３３は、遊底ユニット２２と平行にケーシング２０にガイドされている。ストップスライド部３３は、フックバネ３４により付勢され、通常、スプーン３０の方向の付勢を保持する（図１１）。
【００２５】
一方、前方では、スライドストップ部は、スタート位置にスプーンを保持するようにスプーン３０の後方の突出部３６を捕らえるようにされている捕獲部３５を有し、フックバネ３４によりスプーンの突出部と捕獲部とが確実に相互作用する。他方、後方では、スライドストップ部は、それが停止するときにのみ遊底ユニット２２により捕らえられるようにされている開放リップ部３７を有する。
【００２６】
このように、開放リップ部３７に対する遊底ユニットの動作により、ストップスライド部３３を停止させ、次に、捕獲部３５によりスプーンが解放され、これ（スプーン）がバネ３１により動かされて供給位置に動かされる。引き続き、遊底ユニット２２は、スプーンから第二の実包を引き上げて銃身の実包チャンバーにそれを送る。
【００２７】
また、前方部分において、スプーン３０は、くぼみ３８を有し（図３、図４及び図７）、くぼみ３８は、係合レバー３９と係合し、係合レバー３９は、第二の実包２６がスプーン上に現れたときにだけ、スタート位置から供給位置まで動けるようにスプーンを解放することができる手段として動作する（図７）。実際に、スプーン上の第二の実包だけが係合レバー３９を加圧し、このスプーンがケーシングの内側に回転できるようにスプーンのくぼみ３８から解放される。
【００２８】
最後に、ケーシングの内側では、スプーン３０は、カム形状のウイング部４０を有し、ウイング部４０は、第二の実包が供給されてスライド部により引っかけられた後にスタート位置にスプーンが戻るように、遊底ユニットが前進したときに遊底ユニットと干渉する。
【００２９】
図１〜図４は、第二の実包がない状態で、スタート位置にスプーン３０を有する銃を示す。図５は、第一の実包２５が既に実包チャンバー２１’内にあり、遊底ユニットが図６に示す閉鎖位置に前進したとき、供給手段内又はスプーン３０上に第二の実包２６が装填されたときの状態を示す。スプーン上の実包２６は、スタート位置からスプーンが回転できるように、図７に示すように係合レバー３９を解放する。
【００３０】
第一の実包２５の発射の後、遊底ユニット２２が停止し、対応する除去手段２２’を用いて薬莢２５’が除去される。
【００３１】
遊底ユニットを用いて停止されている薬莢は、排出肩部４１に突き合わされ、図８及び図９に示すようにケーシングの下部開口２８から傾斜して排出させる。同時に、停止している遊底ユニットは（図１０及び図１１）、ストップスライド部３３を後方へ動かし、スプーン３０を解放する。
【００３２】
これ（スプーン）は、対応するバネ３２により付勢され、内部方向に回転され、第二の実包が図１２のように銃身の実包チャンバーの方に向けられる。
【００３３】
この点に関して、遊底ユニットは、前進して第二の実包を捕らえ、チャンバー２１’内に第二の実包を押し出し、同時にカムウイング部４０と相互作用し（図１３及び図１４）、スプーンをスタート位置から引き出す。第二の実包は、遊底ユニットによりチャンバー内に押し出され、供給手段がケーシングの側部で空のまま、発射されることができる。
【図面の簡単な説明】
【図１】本発明に従うライフル銃の部分側面図である。
【図２】本発明に従うライフル銃の部分上面図である。
【図３】図１の円で囲った部分Ａの拡大図である。
【図４】図２の部分Ｂにより規定されるライフル銃の部分拡大図である。
【図５】供給手段に実包を装填する際の銃の一部を示す図である。
【図６】銃身に実包を有し、供給手段に実包を有する銃の一部断面図である。
【図７】図６の円で囲った部分Ｃの拡大図である。
【図８】発射された実包の薬莢の下から除去及び排出を示す図である。
【図９】遊底ユニットから供給手段を解放する位置における銃の側面図である。
【図１０】遊底ユニットから供給手段を解放する位置における銃の上面図である。
【図１１】図１０の円で囲った部分Ｄの拡大図である。
【図１２】ケーシング内に実包を装填する際の供給手段を有する銃の部分断面図である。
【図１３】遊底ユニットからチャンバー内に実包を挿入する際の銃の一部断面側面図である。
【図１４】遊底ユニットからチャンバー内に実包を挿入する際の銃の一部断面上面図である。
【図１５】空の供給手段を有し、発射するために銃身に第二の実包を有する銃の一部断面図である。
【符号の説明】
２０  ケーシング
２１  銃身
２２  遊底ユニット
２１’  実包チャンバー
２５  第一の実包
２５’  薬莢
２６  第二の実包
２７  側部開口
２８  下部開口
２９  供給手段
３０  スプーン
３１  ピン
３２  バネ
３３  ストップスライド部
３５  捕獲部
３７  解放リップ部
３８  くぼみ
３９  係合レバー
４０  ウイング部
４１  排出肩部
【図１】
0004055179.tif 000002
【図２】
0004055179.tif 000003
【図３】
0004055179.tif 000004
【図４】
0004055179.tif 000005
【図５】
0004055179.tif 000006
【図６】
0004055179.tif 000007
【図７】
0004055179.tif 000008
【図８】
0004055179.tif 000009
【図９】
0004055179.tif 000010
【図１０】
0004055179.tif 000011
【図１１】
0004055179.tif 000012
【図１２】
0004055179.tif 000013
【図１３】
0004055179.tif 000014
【図１４】
0004055179.tif 000015
【図１５】
0004055179.tif 000016